(57)【要約】【課題】ドラグ機構の収納部への液体の浸入を防止しつつ、シール部材と鍔部との間に液体が溜まりにくくなるようにする。【解決手段】ドラグつまみ６１は、スプール４ｌのドラグ収納凹部４ｈに収納されたドラグ機構６０のドラグ力を調整するためのつまみである。ドラグつまみは、つまみ部材６６と、ナット部材６７と、シール部材６８と、を備えている。つまみ部材は、ドラグ力を手で調整する突出するつまみ部７０ａが前面に形成された円形の鍔部７０ｂと、鍔部の後面に小径に形成された円筒状の外周面７０ｃと、を有し、ドラグ機構の第１ドラグ座金６２を押圧する。ナット部材は、つまみ部材に一体回転可能に設けられ、スプール軸１５の前端に螺合する。シール部材は、外周面に装着され、スプールのシール接触部４ｊに接触する第１シール部６８ｂと、鍔部の後面の外周側に接触する第２シール部６８ｃと、を有する。【選択図】図４
2010279259.tif 000002
【特許請求の範囲】
【請求項１】
スピニングリールの前後移動するスプールが装着されるスプール軸の前端に螺合して前記スプール内に収納されたドラグ機構のドラグ力を調整するためのスピニングリールのドラグつまみであって、
前記ドラグ力を手で調整するつまみ部が前面に形成された円形の鍔部と、前記鍔部の後面に小径に形成された円筒状の外周面と、を有し、前記ドラグ機構のドラグ座金を押圧するつまみ部材と、
前記つまみ部材に一体回転可能に設けられ、前記スプール軸の前端に螺合するナット部材と、
前記外周面に装着される装着部と、前記スプールの内周面に接触する第１シール部と、前記鍔部の外周側の後面に接触する第２シール部と、を有するシール部材と、
を備えたスピニングリールのドラグつまみ。
【請求項２】
前記第１シール部の外径は、前記鍔部の外径より大きい、請求項１に記載のスピニングリールのドラグつまみ。
【請求項３】
前記シール部材は、前記外周面に接触する第３シール部をさらに有する、請求項１又は２に記載のスピニングリールのドラグつまみ。
【請求項４】
前記鍔部の後面は平坦面であり、
前記シール部材の前記装着部は、前記第２シール部の内周側で前記後面に沿って配置されている、請求項３に記載のスピニングリールのドラグつまみ。
【請求項５】
前記つまみ部材は、
前記鍔部、前記外周面、及び内部に後端面が開口する収納凹部を有するつまみ本体と、
前記収納凹部に一部が収納され、前記スプール軸に回転不能かつ軸方向移動自在に連結され、前記ドラグ座金を押圧する円筒状の押圧部材と、
前記押圧部材を前記収納凹部に対して抜け止めする抜け止め部材と、
前記ナット部材と前記押圧部材との間に配置された付勢部材と、を有し、
前記ナット部材は、前記収納凹部に一体回転可能かつ前後移動自在に配置されている、請求項１から３のいずれか１項に記載のスピニングリールのドラグつまみ。
【請求項６】
前記つまみ部材は、前記鍔部の後面に近接して前記外周面に形成された環状溝を有し、
前記シール部材は環状溝に装着される弾性部材である、請求項１から５のいずれか１項に記載のスピニングリールのドラグつまみ。
【発明の詳細な説明】
【技術分野】
【０００１】
本発明は、ドラグつまみ、特に、スピニングリールのスプールが装着されるスプール軸の前端に螺合してドラグ機構のドラグ力を調整するドラグつまみに関する。
【背景技術】
【０００２】
一般に、フロントドラグ型のスピニングリールでは、スプール内にドラグ機構のドラグ座金が収納されている。ドラグ座金のドラグ力は、スプール軸に螺合するドラグつまみによって調整される。ドラグつまみは、従来、前面につまみ部が形成された鍔部を有するつまみ本体と、つまみ本体に少なくとも一部が収納された押圧部材と、を有している。つまみ本体は、鍔部の後面に円筒形の外周面を有している。この種のドラグつまみにおいて、ドラグ座金の収納部への液体の浸入を防止するために、つまみ本体又は押圧部材の外周面にシール部材を装着したものが従来知られている（例えば、特許文献１及び特許文献２参照）。特許文献１のドラグつまみは、押圧部材の外周面にシール部材が装着されている。シール部材は、スプールの内周面と押圧部材との隙間をシールすると共に、押圧部材の後端面をシールしている。特許文献２のドラグつまみは、つまみ本体の外周面とスプールの内周面との隙間をシールする。このようなシール部材をドラグつまみとスプールの内周面との間に装着することにより、スプール内のドラグ機構の収納部への液体の浸入を防止できる。
【先行技術文献】
【特許文献】
【０００３】
【特許文献１】特開２００４−１３５５４２号公報
【特許文献２】特開２００６−１３６２１６号公報
【発明の概要】
【発明が解決しようとする課題】
【０００４】
前記従来の構成では、いずれのドラグつまみも、鍔部の後面とシール部材の前方との間に大きな空間が形成されている。このため、降雨の中での釣りを行ったり、スピニングリールを液体に浸漬させて洗浄したりすると、この空間に液体が溜まるおそれがある。空間に液体が溜まると、ドラグつまみを外すときに溜まった液体がスプール内のドラグ機構の収納部に流入おそれがある。具体的には、シール部材の先端がスプールの内周面から外れると溜まった液体がドラグ機構の収納部に流入するおそれがある。
【０００５】
本発明の課題は、スピニングリールのドラグつまみにおいて、ドラグ機構の収納部への液体の浸入を防止しつつ、シール部材と鍔部との間に液体が溜まりにくくなるようにすることにある。
【課題を解決するための手段】
【０００６】
発明１に係るスピニングリールのドラグつまみは、スピニングリールの前後移動するスプールが装着されるスプール軸の前端に螺合してスプール内の収納されたドラグ機構のドラグ力を調整するためのつまみである。ドラグつまみは、つまみ部材と、ナット部材と、シール部材と、を備えている。つまみ部材は、ドラグ力を手で調整する突出するつまみ部が前面に形成された円形の鍔部と、鍔部の後面に小径に形成された円筒状の外周面と、を有し、ドラグ機構のドラグ座金を押圧する。ナット部材は、つまみ部材に一体回転可能に設けられ、スプール軸の前端に螺合する。シール部材は、外周面に装着される装着部と、スプールの内周面に接触する第１シール部と、鍔部の後面の外周側に接触する第２シール部と、を有する。
【０００７】
このドラグつまみをスプール軸に螺合させて装着すると、シール部材の第１シール部がスプールの内周面に接触する。これにより、スプール内のドラグ機構の収納部への液体の浸入を防止できる。また、第２シール部が鍔部の後面の外周側に接触する。これにより、シール部材と鍔部との間に溜まる液体を可及的に少なくすることができる。ここでは、シール部材をつまみ部材の外周面に装着すると、第１シール部がスプールの内周面に接触し、第２シール部が鍔部の後面の外周側に接触するようにシール部材を構成している。このため、シール部材と鍔部との間の空間が小さくなり、シール部材と鍔部との間に溜まる液体を可及的に少なくすることができる。したがって、ドラグ機構の収納部への液体の浸入を防止しつつ、シール部材と鍔部との間に液体が溜まりにくくなる。
【０００８】
発明２に係るスピニングリールのドラグつまみは、発明１に記載のつまみにおいて、第１シール部の外径は、鍔部の外径より大きい。この場合には、第１シール部の外径が鍔部の外径より大きいので、第１シール部と、後面の外周側に接触する第２シール部との間のほとんどの空間が外部に開放されている。このため、この空間に溜まる液体の量を可及的に少なくすることができる。
【０００９】
発明３に係るスピニングリールのドラグつまみは、発明１又は２に記載のつまみにおいて、シール部材は、外周面に接触する第３シール部をさらに有する。この場合には、つまみ部材の外周面に接触するように第３シール部を配置したので、仮に第２シール部でシールされなかった液体が鍔部の後面側に浸入しても、シール部材の内周側からドラグ機構の収納部に液体が侵入しにくくなる。
【００１０】
発明４に係るスピニングリールのドラグつまみは、発明３に記載つまみにおいて、鍔部の後面は平坦面であり、シール部材の装着部は、第２シール部の内周側で後面に沿って配置されている。この場合には、装着部が第２シール部の内周側で後面に沿って配置されているので、後面と装着部との間の空間をほとんど埋めることができる。このため、仮に第２シール部でシールされなかった液体が鍔部の後面側に浸入しても、その浸入量が少なくなり、シール部材の内周側からドラグ機構の収納部に液体がさらに侵入しにくくなる。
【００１１】
発明５に係るスピニングリールのドラグつまみは、発明１から４のいずれかに記載のつまみにおいて、つまみ部材は、つまみ本体と、押圧部材と、抜け止め部材と、付勢部材と、を有している。つまみ本体は、鍔部、外周面、及び内部に後端面が開口する収納凹部を有している。押圧部材は、円筒状の部材であり、収納凹部に一部が収納され、スプール軸に回転不能かつ軸方向移動自在に連結され、ドラグ座金を押圧する。抜け止め部材は、押圧部材を収納凹部に対して抜け止めする。ナット部材は、収納凹部に一体回転可能かつ前後移動自在に配置されている。付勢部材は、ナット部材と押圧部材との間に配置されている。
【００１２】
このドラグつまみでは、つまみ部材が、スプール軸に対して回転してナット部材を回すつまみ本体と、スプール軸に回転不能な押圧部材と、抜け止め部材と、付勢部材と、で構成されている。そして、ドラグ座金に接触する押圧部材が付勢部材を介してナット部材により押圧される。このため、付勢部材によりドラグ力を細かく調整できるとともに、押圧部材に接触するドラグ座金をスプール軸に対して回転不能に構成することにより、押圧部材とドラグ座金とが相対回転しないため、押圧部材がドラグ座金をスムーズに押圧できる。
【００１３】
発明６に係るスピニングリールのドラグつまみは、発明１から５のいずれかに記載のつまみにおいて、つまみ部材は、鍔部の後面に近接して外周面に形成された環状溝を有し、シール部材は環状溝に装着される弾性部材である。この場合には、シール部材が弾性体製であるので、抜け止め部材などを用いることなくシール部材を環状溝に装着できる。また、環状溝が鍔部に近接して配置されているので、シール部材を鍔部に近接して配置でき、鍔部の後面を確実にシールできる。
【発明の効果】
【００１４】
本発明によれば、シール部材をつまみ部材の外周面に装着すると、第１シール部がスプールの内周面に接触し、第２シール部が鍔部の外州側の後面に接触するようにシール部材を構成している。このため、シール部材と鍔部との間の空間が小さくなり、シール部材と鍔部との間に溜まる液体を可及的に少なくすることができる。したがって、ドラグ機構の収納部への液体の浸入を防止しつつ、シール部材と鍔部との間に液体が溜まりにくくなる。
【図面の簡単な説明】
【００１５】
【図１】本発明の一実施形態が採用されたスピニングリールの側面断面図。
【図２】そのスプールの断面拡大図。
【図３】本発明の一実施形態によるドラグつまみの分解斜視図。
【図４】ドラグつまみの断面図。
【図５】シール部材の正面図。
【図６】図５のVI−VI断面図。
【発明を実施するための形態】
【００１６】
＜全体構成及びリール本体の構成＞
本発明の一実施形態を採用したスピニングリールは、図１に示すように、ハンドル１を回転自在に支持するリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、リール本体２の左側及び右側のいずれにも装着可能である。
【００１７】
リール本体２は、開口を有するリールボディ２ａと、開口を塞ぐようにリールボディ２ａに着脱自在に装着された蓋部材（図示せず）と、蓋部材から斜め上前方に延びる竿取付脚２ｃとを有している。リールボディ２ａは内部に空間を有している。この空間内には、ハンドル１の回転に連動してロータ３を回転させるロータ駆動機構５と、スプール４を前後に移動させて釣り糸を均一に巻き取るためのオシレーティング機構６とが設けられている。
【００１８】
ロータ駆動機構５は、ハンドル１が固定されたメインギア軸１０とともに回転するメインギア１１と、このメインギア１１に噛み合うピニオンギア１２とを有している。ピニオンギア１２は、筒状に形成され、ロータ３の中心部を貫通している。そして、ピニオンギア１２の前部１２ａが、ナット１３によってロータ３に固定されている。また、ピニオンギア１２の中間部と後端部とが、それぞれ軸受１４ａ、１４ｂを介してリール本体２に回転自在に支持されている。
【００１９】
オシレーティング機構６は、スプール４の中心部を貫通してドラグ機構６０に連結されたスプール軸１５を前後方向に移動させる。これにより、スプール４がドラグ機構６０とともに前後移動する。オシレーティング機構６は、スプール軸１５の下方に平行に配置された螺軸２１と、螺軸２１に沿って前後方向に移動するスライダ２２と、を有している。スライダ２２は、スプール軸１５の後端に回転不能に固定されている。螺軸２１は、ハンドル１の回転に連動して回転する。
【００２０】
＜ロータの構成＞
ロータ３は、円筒部３０と、円筒部３０の側方に互いに対向して設けられた第１ロータアーム３１及び第２ロータアーム３２とを有している。円筒部３０と第１ロータアーム３１及び第２ロータアーム３２とは一体に成形されている。
【００２１】
円筒部３０の前部には前壁３３が形成され、この前壁３３の中央部にはボス部３３ａが設けられている。ボス部３３ａの中心部には貫通孔が形成され、この貫通孔をピニオンギア１２の前部１２ａ及びスプール軸１５が貫通している。前壁３３の前部にはナット１３が配置され、このナット１３によって、ピニオンギア１２の前部１２ａにロータ３が固定されている。
【００２２】
第１ロータアーム３１は、円筒部３０から外方に向けて凸状に湾曲して前方へと延びている。第１ロータアーム３１の先端外周側には、第１ベール支持部材４０が揺動自在に装着されている。第１ベール支持部材４０の先端には、釣り糸をスプール４に案内するためのラインローラ４１が装着されている。第２ロータアーム３２は、円筒部３０から外方に凸に湾曲して前方に延びている。第２ロータアーム３２の先端外周側には、第２ベール支持部材４２が揺動自在に装着されている。ラインローラ４１と第２ベール支持部材４２との間には、線材を略Ｕ状に湾曲させたベール４３が固定されている。これらの第１ベール支持部材４０、第２ベール支持部材４２、ラインローラ４１及びベール４３によって、ベールアーム４４は構成される。ベールアーム４４は、図１に示す糸案内姿勢とそれから反転した糸開放姿勢との間で揺動自在である。
【００２３】
ロータ３の円筒部３０の内部にはロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換レバー５２とを有している。
【００２４】
＜スプールの構成＞
スプール４は、図１に示すように、ロータ３の第１ロータアーム３１と第２ロータアーム３２との間に配置されており、スプール軸１５の先端にドラグ機構６０を介して装着されている。スプール４は、例えば、金属製又は合成樹脂製の糸巻用の部材である。スプール４は、図２に示すように、釣り糸巻き付け用の糸巻胴部４ａと、糸巻胴部４ａの後端部に一体形成された大径筒状のスカート部４ｂと、糸巻胴部４ａの前端部に設けられた大径の前フランジ部４ｃと、とを備えている。糸巻胴部４ａは、円筒状の部材であり、外周面がスプール軸１５と平行な周面に形成されている。糸巻胴部４ａは、釣り糸が巻き付けられる筒状部４ｄと、筒状部４ｄの内周面に設けられた筒状の支持部４ｅと、筒状部４ｄと支持部４ｅとの間をつなぐ連結壁部４ｆと、を有している。この糸巻胴部４ａは、支持部４ｅにおいて、スプール軸１５に対して回転自在かつ後方への移動が規制された状態で、スプール軸１５に装着されている。
【００２５】
前フランジ部４ｃは、糸巻胴部４ａと一体形成されている。前フランジ部４ｃの外周面には、先拡がりの傾斜面４ｇが形成されている。この傾斜面４ｇを形成することにより、バックラッシュを抑えて釣り糸を放出することができる。
【００２６】
糸巻胴部４ａの内周側には、ドラグ機構６０が収納される筒状のドラグ収納凹部（ドラグ機構の収納部の一例）４ｈが形成されている。ドラグ収納凹部４ｈは、糸巻胴部４ａの内周側に連結壁部４ｆを底面とする大小２つの円筒形の空間で構成されている。このドラグ収納凹部４ｈの小径側にドラグ機構６０が収納されている。小径側のドラグ収納凹部４ｈには、後述する第２ドラグ座金６３を回り止めするための係止溝４ｉが前後方向（スプール軸方向）に沿って形成されている。また、前フランジ部４ｃの内周側には、ドラグつまみ６１が配置されるシール接触部（スプールの内周面の一例）４ｊがドラグ収納凹部４ｈの大径側より大径に形成されている。ドラグ収納凹部４ｈの小径側の内周面の前部には、ドラグ機構６０を抜け止めするための抜け止めバネ８０が装着される環状のバネ係止溝４ｋが形成されている。
【００２７】
＜ドラグ機構の構成＞
ドラグ機構６０は、図２に示すように、ドラグ収納凹部４ｈに収納され、スプール４の糸繰り出し方向への回転を制動して、スプール４にドラグ力を作用させるための機構である。ドラグ機構６０は、ドラグつまみ６１によりドラグ力が調整される。ドラグ機構６０は、ドラグつまみ６１によってスプール４側に押圧されるそれぞれ金属製の第１ドラグ座金６２、第２ドラグ座金６３、及び第３ドラグ座金６４を備えている。また、ドラグ機構６０は、ドラグ作動時に発音するドラグ発音機構５４を備えている。
【００２８】
第１ドラグ座金６２及び第３ドラグ座金６４は、スプール軸１５に回転不能かつスプール４に回転自在に連結される座金である。第２ドラグ座金６３は、スプール軸１５に回転自在かつスプール４に一体回転可能に連結される部材である。
【００２９】
第１ドラグ座金６２は、ドラグつまみ６１に直接押圧される座金であり、中心部にスプール軸１５の先端に形成された非円形部１５ａに回転不能に係合する係合孔６２ａを有している。第１ドラグ座金６２と第２ドラグ座金６３との間には、例えはフェルト製のドラグディスク６５ａが配置されている。非円形部１５ａは、断面が、例えば平行な２つの直線と２つの直線の両端を結ぶ２つの円弧とで構成されている。
【００３０】
第２ドラグ座金６３は、外周面に係止溝４ｉに係止される１対の耳部６３ａを有する耳付き座金である。第２ドラグ座金６３と第３ドラグ座金６４との間には、例えはフェルト製のドラグディスク６５ｂが配置されている。
【００３１】
第３ドラグ座金６４は、スプール４を押圧する座金であり、中心部にスプール軸１５の非円形部１５ａに回転不能に係合する係合孔６４ａを有している。第３ドラグ座金６４とスプール４の連結壁部４ｆとの間には、例えはフェルト製のドラグディスク６５ｃが配置されている。
【００３２】
これらの第１ドラグ座金６２、第２ドラグ座金６３及び第３ドラグ座金６４は、抜け止めバネ８０により抜け止めされている。
【００３３】
ドラグ発音機構５４は、スプール軸１５の非円形部１５ａの後端に回転不能に装着されたギア形状の音出し部材５４ａと、スプールの糸巻胴部４ａの後部に揺動自在に装着された打撃爪５４ｂと、を有している。この音出し部材５４ａが非円形部の後端でスプール軸１５に後方への移動が規制されることにより、スプール４の後方への移動が規制されている。なお、スプール４の支持部４ｅの後端と音出し部材５４ａとの間には、スプール４の前後方向の位置を調整するための、例えば合成樹脂製の３枚の調整座金５５が装着されている。調整座金５５は、他の部分より小径に形成された係止部１５ｃに回転不能に装着されている。これにより、スプール４を外したときに音出し部材５４ａがスプール軸１５から外れない。
【００３４】
＜ドラグつまみの構成＞
ドラグつまみ６１は、図２、図３、及び図４に示すように、ドラグ収納凹部４ｈに収納されたドラグ機構６０のドラグ力を調整するためのものである。具体的には、スプール４が装着されるスプール軸１５の前端に形成された雄ネジ部１５ｂに螺合してドラグ力を調整する。ドラグつまみ６１は、ドラグ機構６０の第１ドラグ座金６２を押圧するつまみ部材６６と、つまみ部材６６に一体回転可能に設けられ雄ネジ部１５ｂに螺合するナット部材６７と、つまみ部材６６に装着されたシール部材６８と、を備えている。また、ドラグつまみ６１は、回動操作により発音するつまみ発音機構５６を備えている。
【００３５】
つまみ部材６６は、スプール軸１５に対して回転自在なつまみ本体７０と、スプール軸１５に対して回転不能な押圧部材７１と、押圧部材７１をつまみ本体７０に対して抜け止めする抜け止め部材７２と、ナット部材６７と押圧部材７１との間に配置されたコイルバネ（付勢部材の一例）７３と、を有している。コイルバネ７３は、押圧部材７１をナット部材６７から離反する方向に付勢する。
【００３６】
つまみ本体７０は、ドラグ力を手で調整するためのつまみ部７０ａが前面に突出して形成された円形の鍔部７０ｂを有している。また、つまみ本体７０は、鍔部７０ｂの後面７０ｊに小径に形成された円筒状の外周面７０ｃを有し、内部に後端面が開口する部材収納凹部７０ｄを有している。
【００３７】
つまみ部７０ａは、鍔部７０ｂの中央部の直径部分に沿って前方に突出して形成された側面視略半円形状の部材である。鍔部７０ｂは、径方向外方に向けて厚みが小さくなるように形成されたリング状の部材である。鍔部７０ｂの外周面は、スプール４のシール接触部４ｊ（図２）の内周側に配置されている。鍔部７０ｂの外周側の後面７０ｊは、平坦面であり、後面７０ｊには、シール接触部７０ｋが環状に凹んで形成されている。
【００３８】
外周面７０ｃの鍔部７０ｂの後面７０ｊとの境界部分には、大径部７０ｅが形成され、大径部７０ｅの外周面には、シール部材６８が装着される第１環状溝７０ｆが形成されている。また、部材収納凹部７０ｄの後端側内周面には抜け止め部材７２が装着される第２環状溝７０ｇが形成されている。
【００３９】
部材収納凹部７０ｄの底部分７０ｈは、内形が非円形、例えば６角形状になるように形成され、開口部分が円形になるように形成されている。部材収納凹部７０ｄの底部分７０ｈには、たとえば外形が６角形状のナット部材６７が回転不能に装着され、部材収納凹部７０ｄの開口部分には、押圧部材７１のリング状のフランジ部７１ａが装着されている。部材収納凹部７０ｄの底部分７０ｈとの段差部分には、つまみ発音機構５６の打撃ピン５６ａを前後方向に進退自在に装着するための装着孔７０ｉが形成されている。装着孔７０ｉには、打撃ピン５６ａを押圧部材７１に形成された後述する音出し凹部７１ｃ方向に付勢するためのバネ部材５６ｂが装着されている。このつまみ発音機構５６では、つまみ部７０ａを回転させると、打撃ピン５６ａが押圧部材７１に対して相対回転し、打撃ピン５６ａが複数の音出し凹部７１ｃに当接を繰り返して発音する。
【００４０】
押圧部材７１は、つまみ本体７０の部材収納凹部７０ｄに一部が収納された部材である。押圧部材７１は、つまみ本体７０と第１ドラグ座金６２との間に配置されている。押圧部材７１は、コイルバネ７３の付勢力によって、第１ドラグ座金６２の前面を押圧する。押圧部材７１は、リング状のフランジ部７１ａと、フランジ部７１ａより小径の底部７１ｄを有する円筒部７１ｂと、を有している。押圧部材７１は、スプール軸１５に回転不能かつ軸方向移動自在に取り付けられている。フランジ部７１ａの前端面は、つまみ本体７０の部材収納凹部７０ｄの底面に対向して配置され、円筒部７１ｂの底部７１ｄの後面は、第１ドラグ座金６２に当接している。
【００４１】
フランジ部７１ａの前端面には、つまみ操作時に発音する後述するつまみ発音機構５６の打撃ピン５６ａが当接可能な複数の音出し凹部７１ｃが周方向に間隔を隔てて形成されている。また、底部７１ｄの中心には、スプール軸１５の先端に形成された互いに平行な非円形部１５ａに回転不能に係止する長溝形状の係止孔７１ｅが形成されている。
【００４２】
抜け止め部材７２は、多角形（例えば４角形）状に線材を折り曲げて形成されたバネ部材である。抜け止め部材７２は、複数の角部７２ａと、角部７２ａをつなぐ直線又は曲線で構成された連結部７２ｂとを有している。連結部７２ｂの一つは途中で切れている。この角部７２ａが第２環状溝７０ｇに係止され、連結部７２ｂが押圧部材７１のフランジ部７１ａの後面を係止して押圧部材７１をつまみ本体７０に対して抜け止めする。
【００４３】
コイルバネ７３は、ナット部材６７と押圧部材７１との間に圧縮状態で配置されている。コイルバネ７３の前端は、ナット部材６７の後面に接触し、コイルバネ７３の後端は、押圧部材７１の底部７１ｄの前面に接触している。このため、押圧部材７１が第１ドラグ座金６２に接すると、コイルバネ７３の付勢力により第１ドラグ座金６２の前面を押圧する。
【００４４】
シール部材６８は、合成ゴム等の弾性樹脂製の環状部材である。シール部材６８は、つまみ本体７０の大径部７０ｅの第１環状溝７０ｆに装着される装着部６８ａと、装着部６８ａからシール接触部４ｊに向かって前上方に延びる第１シール部６８ｂとを有している。また、シール部材６８は、シール接触部７０ｋに接触する第２シール部６８ｃと、つまみ本体７０の外周面７０ｃに接触する第３シール部６８ｄと、を有している。
【００４５】
装着部６８ａは、円板状の部分であり、その内周面の一部に径方向内方に突出する環状突起６８ｅを有している。この環状突起６８ｅが第１環状溝７０ｆに係止されている。また、内周面の突出していない部分は第３シール部６８ｄを構成し、外周面７０ｃに接触している。装着部６８ａの前面６８ｆは、平坦な後面７０ｊに沿って配置され、この実施形態では、前面６８ｆは鍔部７０ｂの後面７０ｊに接触している。
【００４６】
第１シール部６８ｂは、図５及び図６に示すように、前上方に延びる先細りリップ形状の部分であり、先端が僅かに折れ曲がってシール接触部４ｊに接触している。第１シール部６８ｂは、スプール４とドラグつまみ６１との隙間をシールする。第２シール部６８ｃは、第１シール部６８ｂの内周側でシール部材６８の前面６８ｆに前方に山形に突出して形成されており、シール接触部７０ｋに接触する。
【００４７】
〔リールの操作及び動作〕
釣りを行う前には、まず、魚の大きさや種類に合わせてドラグ力を調整する。ドラグ力は、つまみ部７０ａを回すことによって調節することができる。つまみ部７０ａを時計回りに回すと、スプール軸１５に螺合したナット部材６７が後方へと移動し、コイルバネ７３を介して押圧部材７１が第１ドラグ座金６２側に押し込まれる。すると、第３ドラグ座金６４は糸巻胴部４ａによって後方への移動が規制されているため、第１ドラグ座金６２から第３ドラグ座金６４がコイルバネ７３の付勢力に応じて密着する。
【００４８】
次に、キャスティングしてリール本体２から釣り糸を繰り出すために、ベールアーム４４を反転させると、第１ベール支持部材４０及び第２ベール支持部材４２が揺動し、ベールアーム４４を糸開放姿勢にすることができる。この状態で、釣竿を握る手の人差し指で釣り糸を引っかけながら釣竿をキャスティングする。すると、釣り糸は仕掛けの重さによって勢いよく前方に放出される。そして、ハンドル１を糸巻取方向に回転させると、ロータ駆動機構５によりロータ３が糸巻取方向に回転し、ベールアーム４４が図示しないベール反転機構により糸巻取位置に復帰し、釣り糸がスプール４に巻き付けられる。
【００４９】
＜特徴＞
（ア）ドラグつまみ６１は、ドラグ機構６０のドラグ力を調整するためのつまみである。ドラグつまみ６１は、つまみ部材６６と、ナット部材６７と、シール部材６８と、を備えている。つまみ部材６６は、ドラグ力を手で調整する突出するつまみ部７０ａが前面に形成された円形の鍔部７０ｂと、鍔部の後面に小径に形成された円筒状の外周面７０ｃと、を有し、ドラグ機構６０のｅの第１ドラグ座金６２を押圧する。ナット部材６７は、つまみ部材６６に一体回転可能に設けられ、スプール軸１５の前端に螺合する。シール部材６８は、外周面７０ｃに装着され、スプール４の内周面であるシール接触部４ｊに接触する第１シール部６８ｂと、鍔部７０ｂの後面の外周側に接触する第２シール部６８ｃと、を有する。
【００５０】
このドラグつまみ６１をスプール軸１５に螺合させて装着すると、シール部材６８の第１シール部６８ｂがスプール４の内周面であるシール接触部４ｊに接触する。これにより、スプール内のドラグ収納凹部４ｈへの液体の浸入を防止できる。また、第２シール部６８ｃが鍔部７０ｂの後面の外周側に接触する。これにより、シール部材６８と鍔部７０ｂとの間に溜まる液体を可及的に少なくすることができる。このため、ドラグつまみ６１をスプール軸１５から外しても、ドラグ収納凹部４ｈへ液体が流入しにくくなる。ここでは、シール部材６８をつまみ部材６６の外周面７０ｃに装着すると、第１シール部６８ｂがスプール４のシール接触部４ｊに接触し、第２シール部６８ｃが鍔部７０ｂの後面の外周側に接触するようにシール部材６８を構成している。このため、シール部材６８と鍔部７０ｂとの間の空間が小さくなり、シール部材６８と鍔部７０ｂとの間に溜まる液体を可及的に少なくすることができる。したがって、ドラグ収納凹部４ｈへの液体の浸入を防止しつつ、シール部材６８と鍔部７０ｂとの間に液体が溜まりにくくなる。
【００５１】
（ウ）シール部材６８は、外周面７０ｃの大径部７０ｅに接触する第３シール部６８ｄをさらに有する。この場合には、つまみ部材６６の外周面７０ｃに接触するように第３シール部６８ｄを配置したので、仮に第２シール部６８ｃでシールされなかった液体が鍔部７０ｂの後面側に浸入しても、シール部材６８の内周側からドラグ収納凹部４ｈに液体が侵入しにくくなる。
【００５２】
（エ）鍔部７０の後面７０ｊは平坦面であり、シール部材６８の装着部６８ａは、第２シール部６８ｃの内周側で後面７０ｊに沿って配置されている。この場合には、装着部６８ａが第２シール部６８ｃの内周側で後面７０ｊに沿って配置されているので、後面７０ｊと装着部６８ａの前面６８ｆとの間の空間をほとんど埋めることができる。このため、仮に第２シール部６８ｃでシールされなかった液体が鍔部７０ｂの後面７０ｊ側に浸入しても、その浸入量が少なくなり、シール部材６８の内周側からドラグ収納凹部４ｈに液体がさらに侵入しにくくなる。
【００５３】
（オ）つまみ部材６６は、つまみ本体７０と、押圧部材７１と、抜け止め部材７２と、コイルバネ７３、を有している。つまみ本体７０は、鍔部７０ｂ、外周面７０ｃ、及び内部に後端面が開口する部材収納凹部７０ｄを有している。押圧部材７１は、円筒状の部材であり、部材収納凹部７０ｄに一部が収納され、スプール軸１５に回転不能かつ軸方向移動自在に連結され、第１ドラグ座金６２を押圧する。抜け止め部材７２は、押圧部材７１を部材収納凹部７０ｄに対して抜け止めする。ナット部材６７は、部材収納凹部７０ｄに回転不能かつ前後移動自在に配置されている。コイルバネ７３は、ナット部材６７と押圧部材７１との間に配置されている。
【００５４】
このドラグつまみ６１では、つまみ部材６６が、スプール軸１５に対して回転してナット部材６７を回すつまみ本体７０と、スプール軸に回転不能な押圧部材７１と、抜け止め部材７２と、コイルバネ７３と、で構成されている。そして、第１ドラグ座金６２に接触する押圧部材７１がコイルバネ７３を介してナット部材６７により押圧される。このため、コイルバネ７３によりドラグ力を細かく調整できるとともに、押圧部材７１に接触する第１ドラグ座金６２をスプール軸１５に対して回転不能に構成することにより、押圧部材７１と第１ドラグ座金６２とが相対回転しないため、押圧部材７１が第１ドラグ座金６２をスムーズに押圧できる。
【００５５】
（カ）つまみ部材６６は、鍔部７０ｂの後面に近接して外周面７０ｃに形成された第１環状溝７０ｆを有し、シール部材６８は第１環状溝７０ｆに装着される弾性部材である。この場合には、シール部材６８が弾性体製であるので、抜け止め部材などを用いることなくシール部材６８を第１環状溝７０ｆに装着できる。また、第１環状溝７０ｆが鍔部７０ｂに近接して配置されているので、シール部材６８を鍔部７０ｂに近接して配置でき、鍔部７０ｂの後面を確実にシールできる。
【００５６】
＜他の実施形態＞
以上、本発明の一実施形態について説明したが、本発明は上記実施形態に限定されるものではなく、発明の要旨を逸脱しない範囲で種々の変更が可能である。
【００５７】
（ａ）前記実施形態では、フロントドラグ機構のみを有するスピニングリールを例にあげて説明したが、たとえばフロントドラグ機構とレバードラグ機構やフロントドラグ機構とリアドラグ機構との両方を有するスピニングリール等のドラグつまみを有する他のスピニングリールにも本発明を適用できる。
【００５８】
（ｂ）前記実施形態では、つまみ部材６６をつまみ本体７０と押圧部材７１との２つの部材で構成したが、つまみ部材を一つの部材で構成してもよい。
【００５９】
（ｃ）前記実施形態では、シール部材６８に第３シール部６８ｄを設けたが、第３シール部６８ｄを設けなくてもよい。
【００６０】
（ｄ）前記実施形態では、前フランジ部４ｃが糸巻胴部４ａと一体形成されたスプール４を例示したが、前フランジ部がフランジ部と別体のスプールにも本発明を適用できる。この場合、第１シール部をスプールの内周面として、例えば、前フランジ部を糸巻胴部に固定するためのスプールリングの内周面に接触させればよい。
【符号の説明】
【００６１】
４    スプール
４ｈ  ドラグ収納凹部（ドラグ機構の収納部の一例）
４ｊ  シール接触部（スプールの内周面の一例）
１５    スプール軸
１５ａ  非円形部
１５ｂ  雄ネジ部
６０    ドラグ機構
６１    ドラグつまみ
６２    第１ドラグ座金
６６    つまみ部材
６７    ナット部材
６８    シール部材
６８ｂ  第１シール部
６８ｃ  第２シール部
６８ｄ  第３シール部
７０    つまみ本体
７０ａ  つまみ部
７０ｂ  鍔部
７０ｃ  外周面
７０ｄ  部材収納凹部
７０ｆ  第１環状溝
７０ｊ  後面
７０ｋ  シール接触部
７２    抜け止め部材
７３    コイルバネ
【図１】
2010279259.tif 000003
【図２】
2010279259.tif 000004
【図３】
2010279259.tif 000005
【図４】
2010279259.tif 000006
【図５】
2010279259.tif 000007
【図６】
2010279259.tif 000008